Podtech/llm-jp-corpus-v4-ja_patent huggingface dataset:
(57)【要約】      （修正有）【課題】容器から底面を取除いて、容器の底面を汚す事なく、生ゴミを回収する事が可能となる、一般家庭の調理場において用いられる、生ゴミ処理装置を提供する。【解決手段】筒状ケース１の内部に水切り袋３を挿入して、水切り袋３の開口部を筒状ケース１の内側からめくって、筒状ケース１の上部にかぶせ、その上から水切り袋固定枠２を取付けて、水切り袋３の開口部を開いた状態に固定させて、水切り袋３の中へ生ゴミを投入して生ゴミを収容するが、生ゴミに充たされた水切り袋３を筒状ケース１から取出した場合、本考案の生ゴミ処理装置に於ける筒状ケース１には、底面がない為、従来の生ゴミ収容器に於いて、最も汚物の付着し易すい底面を汚す事がなく、調理場の清潔を維持する為に役立つ。【選択図】図１
0003123651.tif 000002
【実用新案登録請求の範囲】
【請求項１】
筒状のケースの中に水切り袋を、水切り袋の開口部を上にして挿入し、水切り袋の開口部を、筒状ケースの内側からめくって筒状ケースの上部にかぶせ、更に、筒状ケースにかぶせた水切り袋開口部の上から、水切り袋固定枠を取付けて、水切り袋開口部を筒状ケースの上部に、しっかりと固定させる事を特徴とする、生ゴミ処理装置。
【考案の詳細な説明】
【技術分野】
【０００１】  本考案は、一般家庭の調理場に於いて用いられる、生ゴミ処理装置に関するものである。
【背景技術】
【０００２】  従来から、一般家庭の調理場に於いての生ゴミ収容具として、三角コーナーと言われる、側面、及び、下面が、水切り網状になっている器具が置かれていたが、三角コーナーに生ゴミを投入する場合には、直接投入する場合と、水切り袋を取付けて、水切り袋の中へ投入する場合とがあるが、いずれの場合も、上方、及び、側面から生ゴミが見えて、調理場が清潔感に欠ける状態となってしまい、又、容器の底面には、生ゴミから生じた汚物が付着してしまう事となる。
【考案の開示】
【考案が解決しようとする課題】
【０００３】  調理場に於いて、常に生ゴミが見え易すい状態にある事は、調理場に於ける清潔感をそこなう事になり、又、容器の底面に汚物が付着する事は、生ゴミ容器を常に清潔に保つ為には、底面の汚物を取除かなければならず、常日、大変手間のかかる事となる。
従がって本考案は、生ゴミを外部から見えにくくし、容器底面に於いて、汚物が付着する、という状態を取除き、前述の欠点を解決しようとするものである。
〔考案が解決する為の手段〕【０００４】  本考案は、従来の生ゴミ収容器の欠点を取除き、目的を達成する為に、筒状のケースを立てて、その上方から開口部を上にした状態の水切り袋を挿入し、筒状ケースの内側から水切り袋の開口部をめくって、筒状ケースの上部にかぶせ、更に、筒状ケースの上部にかぶせた水切り袋開口部の上から、水切り袋固定枠を取付けて、水切り袋開口部を、筒状ケースの上部に、しっかりと固定させる構造とする。
【考案の効果】
【０００５】  上述のように、本考案に於ける生ゴミ処理装置は、筒状のケースを用いる事により、立長の形状となる為、流し台の中での生ゴミ収容の為のスペースは小さくできて、又、従来の生ゴミ容器と同等の生ゴミを、外部から見えにくい状態で収容する事が可能である為、調理場に於ける生ゴミによる不潔感は取除かれる、という効果が発生するが、本考案に於ける最大の使用効果は、従来の生ゴミ容器に於いて、最も汚物の付着し易すい底面が存在しない事により、調理場に於ける汚物が無くなり、調理場を、衛生的に、清潔に使用する事が、可能となる。
【考案を実施する為の最良の形態】
【０００６】  本考案に於ける生ゴミ処理装置は、筒状のケースを立てて、その上方から開口部を上にした状態の水切り袋を挿入して、筒状ケースの内側から水切り袋の開口部をめくって、筒状ケースの上部にかぶせて、その上から、水切り袋固定枠を取付けて、水切り袋の開口部が、筒状ケースの上部に、しっかりと固定された状態にしたうえで、生ゴミを水切り袋の中へ投入して、生ゴミを収容するものであるが、水切り袋の中が生ゴミで満たされた状態になった場合、筒状ケースの上部に取付けた、水切り袋固定枠を取外す事により、筒状ケースの中の水切り袋も取出せる事になり、生ゴミは、水切り袋に充たされた状態で、生ゴミとして、処分する事となる。
【０００７】  本考案に於いて用いられる筒状のケースは、流し台の形状に適用する為に、円筒形の筒状ケース、三角形の筒状ケース、四角形の筒状ケース、等の筒状ケースが存在し、又、水切り袋固定枠も、筒状ケースの形状に合った、円形、三角形、四角形、等の水切り袋固定枠が用いられる事となる。
【実施例】
【０００８】  以下、添付図面に従がって、実施例を説明する。１は耐久性のプラスチック等、適宜素材によって形成された筒状ケースであり、本考案に於ける生ゴミ処理装置の本体となる。
使用する際には、筒状ケース１の中へ、直接、生ゴミを投入する為の水切り袋３を、開口部を上方にして挿入し、筒状ケース１の内側から開口部をめくり、筒状ケース１の上部へかぶせて、その上から、筒状ケース１と同等の素材によって形成された、水切り袋固定枠２を、筒状ケース１の上部に取付ける事により、水切り袋３の開口部が、しっかりと開いた状態で筒状ケース１の上部に固定され、水切り袋３の中への生ゴミの投入が、可能となる。
【図面の簡単な説明】
【０００９】
【図１】本考案に於ける生ゴミ処理装置の、実施例を示す斜視図である。
【図２】本考案に於いて使用する、水切り袋の斜視図である。
【図３】本考案に於ける水切り袋固定枠の、斜視図である。
【図４】本考案に於ける筒状ケースの、斜視図である。
【符号の説明】
【００１０】１  筒状ケース
２  水切り袋固定枠
３  水切り袋
【図１】
0003123651.tif 000003
【図２】
0003123651.tif 000004
【図３】
0003123651.tif 000005
【図４】
0003123651.tif 000006
(57)【要約】      （修正有）【課題】複数の銃ケースを運搬や携帯する際に、両手が塞がり、持ち切れず困難を要することの解消と、それに伴う事故や盗難を未然に防止する。【解決手段】銃ケースの本袋１内に収納副袋２，３を左右に設け、且つその副袋は相互が傷つかないようクッションで形成する。３挺までの銃や替え銃身を一つのケースに納められことにより、片手で持てたり肩に背負う事で解決する。【選択図】図１
0003123681.tif 000002
【実用新案登録請求の範囲】
【請求項１】
銃袋または銃ケースの本袋内に収納副袋を左右に設け、且つその副袋は相互が傷つかないようクッションで形成され、３挺までの銃や替銃身などが一つのケースで納められることを特徴とする銃袋または銃ケース。
【考案の詳細な説明】
【技術分野】
【０００１】  本考案は、銃を入れるケースに関するものであり、収納部の形状に工夫を加える事によって、銃や替銃身などが３挺まで収納できるようにしたものである。
【背景技術】
【０００２】  銃の場合は、『一銃一許可』で本人でしか運搬や携帯することが許されず、必ずケースあるいは覆いをする事が法律上定められている。そのため、複数の銃を所持する者はその数のケースが必要となり、運搬や携帯する際に持ち切れず困難を要する。その場合、事故や盗難に遭う確率も高くなる。銃検査時は複数の銃を本人が全て持参するため特に困難を要する。
【考案の開示】
【考案が解決しようとする課題】
【０００３】  複数の銃を所持する者は、元来その数のケースが必要となり、経済的負担も大きく、また、未使用時のスペースも必要となる。さらに、運搬や携帯の際に複数のケースを持つ事は、両手が塞がり事故や盗難に遭う確率も高くなり得る。従って、１つのケースで３挺まで持てる事により前述の欠点を解決しようとするものである。
【課題を解決するための手段】
【０００４】  本考案は、銃袋または銃ケースの本袋内に直線状に延びる細長い収納副袋を左右に設け、且つその副袋は相互が傷つかないようクッションで形成し、３挺まで収納出来るようにした。運搬や携帯する際に３挺までの銃や替銃身などが一つのケースで納められることにより、片手で所持ができたり肩に背負う事で解決している。
【考案の効果】
【０００５】  上述の様に、本考案は従来の１挺入れのみならず、複数の銃や替銃身など
0003123681.tif 000003
すいだけでなく両手が塞がりず、事故や盗難も未然に防げる効果がある。
【考案を実施するための最良の形態】
【０００６】  本考案に係る３挺入れ銃ケース１は、図１に示すように、本袋内に直線状に延びる細長い仕切り２と３を設けることにより、収納副袋４と５が左右に形成される。この収納副袋４と５にそれぞれ１挺ずつ入る。また、収納副袋４と５の間にも１挺入る。【０００７】  本体表面はナイロンもしくは帆布などの防水素材にし、ポリウレタンなどのクッションを入れるのが望ましい。また、内側の副袋はウール混紡やポリエステル素材でポリウレタンなどのクッションを入れるのが望ましく相互が傷つかないようにする。８と９の持ち手には重量が係るので強度にする。９
0003123681.tif 000004
【実施例】
【０００８】  以下、添付図面に従って一実地例を説明する。１は強度と防水性に優れたナイロンや帆布等の素材を使用する銃ケース本体、２、３は銃や替銃身を相互が傷つかないようポリウレタンなどのクッションの入った収納副袋仕切り、４、５は銃や替銃身を収納する副袋、６も銃や替銃身を収納する袋である。また、１挺のみ収納の場合は６に入れる。２と３の仕切りにより２重のクッションになるため、衝撃や傷などが付きにくくなる。【０００９】  ３挺まで収納したケースは７のファスナーをしっかりと締め、８の持ち手
0003123681.tif 000005
一つのケースに納められることにより両手あるいは片手が自由になる。１０は小物が入るファスナー付きポケットである。
【図面の簡単な説明】
【００１０】
【図１】本考案の３挺入れ銃ケースの一実施例を示す図である。
【図２】本考案の３挺入れ銃ケースの正面図である。
【符号の説明】
【００１１】  １  銃ケース本体
２  収納副袋仕切り右
３  収納副袋仕切り左
４  収納副袋右
５  収納副袋左
６  収納袋
７  ファスナー
８  ケース持ち手
９  背負い紐
１０  ファスナー付きポケット
【図１】
0003123681.tif 000006
【図２】
0003123681.tif 000007
(57)【要約】【課題】傘の転倒防止や置忘れ防止を目的とすると共に、携帯に便利な傘掛け用フックを提供する。【解決手段】右側フック１と左側フック２を用いて車中の手摺等に引掛ける機能を有し、支点３を中心にしてフックを開閉可能とし、板バネ４の弾性力によりフックの先端に挟み込む力を有し、取付調整具５を用いて傘のシャフト１０に対して容易に着脱できるようにした傘掛け用フックである。【選択図】図１
0003123683.tif 000002
【実用新案登録請求の範囲】
【請求項１】
一対の右側フック１と左側フック２にて任意の場所に引掛ける機能を有し、支点３の周りに板バネ４を取付けることにより一対のフックが外れないようにし、さらに板バネ４の弾性力により常にフックを閉じるようにし、フックの端を強くつまむとフックが開閉する機能を有し、引掛けと挟み込みの両方の機能を備える傘掛け用フック。
【請求項２】
傘のシャフト１０に紐８を通した後で、取付調整具５を傘のシャフト１０に向かって押すことにより、取付調整具バネ７の働きで紐８が弛まないように固定することが出来る機能と、外す際には取付調整具ボタン６を押すことにより取付調整具５が紐８の上を移動できるので、紐８をゆるませて傘のシャフト１０がら容易に外すことが出来る機能を備えている請求項１に記載の傘掛け用フック。
【考案の詳細な説明】
【技術分野】
【０００１】  本考案は傘を何処にでも引掛けることができる用具に関するものである。
【背景技術】
【０００２】  一般傘の場合には傘立てに立てるか、フックで掛けるしか無く、乗り物に乗車した際の転倒防止用の装置が付いていなかった。折り畳み傘の場合には引掛ける機能が無いので、バックの中に入れるか手で持たなければならなかった。
【考案の開示】
【考案が解決しようとする課題】
【０００３】  一般傘の場合には柄の部分にフックが付いているが、乗り物に乗車した際には振動で転倒する恐れがあり、折り畳み傘の場合にはフックが付いて無いので、手で持つしかなく不便なので、傘を任意の場所に引掛けたり外したりの操作を容易に出来ることを第１の目的とする。【０００４】  いかなる形状の傘でも、傘掛け用フックを容易に装着し、容易に取外しが出来ることを第２の目的とする。
【課題を解決するための手段】
【０００５】  上記第１の目的を達成する為に、フックの内径をバスや電車の手摺の寸法や、物干し竿の寸法及び、傘を閉じた時の寸法を考慮し、容易に引掛けと取り外しが出来るようにする。更に、左右一対のフックの間に板バネを挟み、板バネの弾性力によりバックの取っ手に噛み込んで傘を引掛ける構造とする。【０００６】  上記第２の目的を達成する為に、傘のシャフトに紐を掛けた後は、傘掛け用フックの紐に付随している取付調整具で紐のたるみを取りしっかりと固定する。傘掛け用フックを外す際には、取付調整具の取付調整具ボタンを押し、紐をたるませ、傘のシャフトから外す。
【考案の効果】
【０００７】  本考案の実施例により、次の効果が期待出来る。【０００８】  （１）傘掛け用フックを用いてバスや電車の手摺に傘を引掛け、傘の転倒を防止する。【０００９】  （２）折り畳み傘を雨上り後に携帯する場合には、バックやカバンの一部に引掛けて携帯する事が出来る。【００１０】  （３）紐と取付調整具が付いているので、折り畳み傘のみならず一般の傘にも取付けることが出来る。【００１１】  （４）傘を使用しない時には傘掛け用フックを傘本体に挟み付けて取付けることにより、フックがブラブラしたりしないので、邪魔にならない。【００１２】  （５）折り畳み傘を物干し竿に引掛けて干すことが出来る。
【実施例】
【００１３】  図３のように、右側フック１と左側フック２を一対にし、支点３に板バネ４を挟み込むことにより、右側フック１と左側フック１を固定し、さらに板バネ４の弾性力によりフックを閉じる方向に力を与える構造とし、手指でフックの端を押すことにより右側フック１と左側フック２を開閉させることが出来る。【００１４】  傘掛け用フックの傘への取付けは、図４のように、紐８を傘のシャフト１０に通し、取付調整具５を傘のシャフト１０側に移動することにより、取付調整具バネ７の力により取付調整ボタン６が紐８を押付け固定できる。また、傘掛け用フックを取外すには取付調整具ボタン６を押しながら傘のシャフト１０とは反対側に移動することにより、紐８をたるませ傘のシャフト１０から外すことが出来る。
【図面の簡単な説明】
【００１５】
【図１】本発明実施例の外観斜視図。
【図２】本発明実施例の平面図。
【図３】本発明実施例の断面図。
【図４】傘への取付を示す図である。
【図５】傘掛け用フックの収納例を示す図である。
【図６】バッグに引掛けた場合の使用例を示す図である。
【図７】車中での使用例を示す図である。
【図８】傘を干す場合の使用例を示す図である。
【符号の説明】
【００１６】  １  右側フック
２  左側フック
３  支点
４  板バネ
５  取付調整具
６  取付調整具ボタン
７  取付調整具バネ
８  紐
９  紐留め
１０  傘のシャフト
【図１】
0003123683.tif 000003
【図２】
0003123683.tif 000004
【図３】
0003123683.tif 000005
【図４】
0003123683.tif 000006
【図５】
0003123683.tif 000007
【図６】
0003123683.tif 000008
【図７】
0003123683.tif 000009
【図８】
0003123683.tif 000010
(57)【要約】【課題】  本考案の阻止柵は、主として緊急時に警備当局が必要とする規制区域内に車両等の進入を物理的に阻止できる効果を有するものであって、極めて簡易な構成よりなり、早急時に移送できると共に、該柵体の展開及び収縮が容易にできることを課題とするものである。【解決手段】  本考案は専ら警備当局による主として緊急的配備に当たって、規制区域の車両等の通行を一時的に遮断し、その道路等を広域にわたり早急時に進入を阻止し、加えて車両の進行を物理的に阻止できるものであって、柵体の伸長展開と縮退を開鎖機構及びワイヤロープの巻取りドラムの引力によって柵体の展開及び縮退を実施することを手段とするものである。【選択図】図１
0003123682.tif 000002
【実用新案登録請求の範囲】
【請求項１】
伸縮を自在とする車両進入阻止柵であって、
柵体の伸長展開と縮退を開鎖機構及びワイヤロープの巻取りドラムによって構成した伸縮自在な車両進入阻止柵。
【考案の詳細な説明】
【技術分野】
【０００１】  本考案はテロリスト等の不法者が使用する車両等の通行を強制又物理的に阻止する伸縮自在とした柵体に関するものである。
【背景技術】
【０００２】  従来の警備当局の通行の規制が行われる場合当該、路上に鞍馬状のバリケード或いはウエイトコーン等を設置して該当車両等の通行を規制していた。
近時、特殊な緊急警備、或いは凶悪事犯による、強引なバリケードの突破を阻止するために各種阻止柵が開発され一定の場所に一定期間設置される場合は有効に使用されている。然しながら、上記の各阻止柵等は、大型車両による強引な突破を考慮し重量を有し且つ頑丈な構成となっている。
上記の如く、単に道路上に設置する軽量、簡易なバリケードは、小型車両においても容易に突破される結果となり、又頑丈で重量のあるバリケードでは該バリケードの移送に大量の機動力を有し又複数の係官が何度も車両の荷台から積み下ろしを行わなければならない等の極めて厄介な作業を必要とせざるを得なかった。
【考案が解決しようとする課題】
【０００３】  本考案は上記の事由等に鑑み、無謀且つ無法な車両の強引なバリケード突破を阻止するため、軽量かつ移送が容易であり、坂道等の傾斜する路面にあっても早急にバリケードされ、該車両の進行を不能となす阻止柵を得ることを課題とするものである。
【課題を解決するための手段】
【０００４】  阻止柵（バリケード）は、周知である極めてコンパクトな例えば車庫、出入口に用いられている伸縮自在なアコーディオン式の折畳み型とし、移送車両に積載し、荷下ろし作業の際は、車両後部より路面に主動柱体の大型滑車輪を着地させ、把手を曳くだけで手際良く作業員一名だけで即座にバリケードが構築でき、無謀な進入を謀る車両を強制、物理的に停止させることができる阻止柵を供するものである。
【考案を実施するための最良の形態】
【０００５】  本阻止柵を移送車に積載し、規制区域現場で通行を遮断する路面の一側端辺へ阻止柵の大型滑車輪の片輪を降ろし把手を曳くとストッパーである該、阻止柵の伸張を自在に制動できるワイヤロープ巻取装置及び開鎖機構で任意の長さ分のみが伸張し所要の路面巾に応じて設置展開できるものである。
【実施例】
【０００６】  以下本考案の添付図面に基づいて説明する。
本考案の形態特性は、一部位を特殊鋼鉄製の中空形状鋼材を用い他の部位を通常の鉄製の中空形状の鉄材を主材としたものであって、井桁状に所定の長さを有する細長形状の鉄桟を双体の片方桟（１）と双体の他方桟（２）を連係状と成すため該桟の上部位と中央部位及び下部位に同一形状の貫通孔を穿設し、該貫通孔へ所定の長さを有する鉄製の丸棒の両先端部を螺状と成した多数本の連結棒（３）で上記双体の片方桟の上部位と中央部位及び下部位の貫通孔へ枢着し、双体の他方桟にも同様に枢着して伸縮を自在と成し加えて前記連結棒の両上部位連結棒の複数箇所へ井桁状に展開する長さを調整する環を設けたチェーンを固着したものであって、片方桟（１）と他方桟（２）との上部位へ本阻止柵の伸長時の展開幅を決定するワイヤロープ（６）を片方の連結棒（３）に固着し至端の連結棒に設けた開鎖機構（４）を経て該両桟体の上部位に設けたワイヤロープ（６）巻取りドラム（５）を横架設置したものである。
即ち、本件阻止柵は常時にあっては、巻取りドラム（５）に収装されるワイヤロープ（６）の巻引力によって縮退し、収縮し、開鎖機構（４）の押圧片を拡開して所定の幅にまで引伸ばし伸長展開できるものである。
【産業上の利用可能性】
【０００７】  本考案の伸縮自在な車両阻止柵は出願人が長年に亙って業として開発した保安用品の一部である。
【図面の簡単な説明】
【０００８】
【図１】は本考案の車両進入阻止柵の伸長した側面要部説明図である。
【符号の説明】
【０００９】    １…片方桟
２…他方桟
３…連結棒
４…開鎖機構
５…巻取りドラム
６…ワイヤロープ。
【図１】
0003123682.tif 000003
(57)【要約】【課題】  本考案は、パークゴルフコースの閉鎖ホールカップに蓋を被せても、グリーン面の平滑を保つことを課題とする。【解決手段】  本考案は、支柱６を閉鎖ホールカップ本体４のピン差込み用貫通孔９を通じて、ホールカップ本体４の下の土壌に貫入し、支柱６に沿って調整プレート７を上下に可動させ、高さの調整を行なう機構を設け、グリーン面の平滑を保つ。【選択図】図１
0003123684.tif 000002
【実用新案登録請求の範囲】
【請求項１】
ホールカップに被せる蓋の裏面に横ズレ防止板を設け、該横ズレ防止板の下方に支柱を突出させてホールカップに設ける発音板に穿つピン差込用貫通孔を通して土中に突刺して前記蓋を固定するとともに、前記支柱には雄ネジ部を形成し、該雄ネジ部に螺合し上下方向に移動し得る調整プレートを設けて、該調整プレートを前記発音板の上面に当接させて前記蓋の高さを可変にして固定するパークゴルフの閉鎖ホールカップ蓋。
【請求項２】
前記調整プレートに発泡系緩衝材を取り付け、ホールカップ発音板にかかる荷重及び衝撃を緩和する請求項１記載の閉鎖ホールカップ蓋。
【考案の詳細な説明】
【技術分野】
【０００１】  本考案は、パークゴルフにおけるホールカップ用蓋に関するものである。
【背景技術】
【０００２】  蓋と周囲の芝生の段差を解消するために、一定の厚さを持つ蓋はあるものの、ホールカップで受けているため、ホールカップの埋設深の影響を受け段差の解消にはならない。
【考案の開示】
【考案が解決しようとする課題】
【０００３】  利用者の増加に伴い、ホールカップ周囲の芝生の痛みが激しくなる。回避策として１グリーンに複数個のホールカップを埋設し、使用ホールカップにピンフラッグを立て、未使用ホールカップには蓋をして閉鎖する手法があるが、パークゴルフコース設置基準において、ホールカップは地表面より１０ｍｍ低く埋設しなければならないと規定されているため、蓋をするとグリーン面に凹凸ができる問題点があった。
これを解決するために、ホールカップの埋設深に影響されない調整機構を持ち、前述の欠点を解決しようとするものである。
【課題を解決するための手段】
【０００４】  本考案は、蓋裏面の横ズレ防止板に支柱を取りつけ、ピン差込み用貫通孔を通じて土中に支柱を突刺し、支柱に雄ネジ部を設け、その雄ネジ部と螺合し上下方向に移動可能な調整プレートを設け発音板の上面に当接される事により、プレーヤーの踏み込みによる蓋の沈下を防止し、その調整プレートに発泡系緩衝材を取りつけプレーヤーの踏み込みによる発音板にかかる荷重を緩和し発音板の変形を防止するため、蓋の高さがホールカップ埋設深に影響される問題点を解決している。
【考案の効果】
【０００５】  前述の様に、蓋が持つ独自の機構により蓋の高さの調整と固定が容易にでき、且つ、調整プレートにつけた発泡系緩衝材によりホールカップ発音板の変形を防止し、ホールカップの埋設深の精度に関わらずグリーン面の平滑を維持できる。
【考案を実施するための最良の形態】
【０００６】  以下、図面に示す実施例に従って本考案の実施態様について説明する。
蓋を設置する前に、ホールカップ発音板９から地表面までの高さを測定し、調整プレート７を上下に可動させ測定した長さよりやや浅めに調整プレート７を固定する事により、プレーヤーの踏み込みによる荷重を発音板５と支柱６の土中に貫入した周囲の摩擦と支柱先端の土壌に荷重を分散する。支柱６をピン差込み用貫通孔９を通じて蓋２の水平方向の位置を決め、踏み込み若しくは打ち込み蓋２を固定する。【０００７】  横ズレ防止板３は、図面では羽根状に記してあるが、その形状は円盤状、リング状、または、蓋２裏面に円周状に突起を設けても良く、その大きさ、位置はパークゴルフコース設置基準において、ホールカップの内径は０．２ｍ以上、外径は０．２１６ｍ以内と規程されているため、ホールカップ本体４の内径を上回るのではない。【０００８】  調整プレート７は、図面ではナットと座金を記しているが、支柱６の雄ネジ部と螺合が可能で、発音板５に穿つピン差込み貫通孔９の外径より大きく、前述の横ズレ防止板３、同様ホールカップ本体４の内径を上回るのではない。【０００９】  発泡系緩衝材８は、ゴム発泡体、ウレタン発泡体、樹脂発泡体等、弾性特性を有し緩衝材にかかる荷重の受け圧縮し、負荷からの解放と同時に圧縮前の形状に復元するものである。
【図面の簡単な説明】
【図１】  考案した蓋の使用方法を示した断面図である。
【図２】  本考案の斜視図である。
【符号の説明】
【０００７】１  人工芝
２  蓋
３  横ズレ防止板
４  ホールカップ本体
５  発音板
６  支柱
７  調整プレート
８  発泡系緩衝材
９．ピン差込み用貫通孔
【図１】
0003123684.tif 000003
【図２】
0003123684.tif 000004
(57)【要約】【課題】  携帯電話のリモコンモードを利用し、リレー制御により電動機器をリモコン操作させるようにする。【解決手段】  電動機器に本体１と受信機２を接続し、リレー制御により携帯電話でリモコン操作させるようにした。【選択図】図２
0003123690.tif 000002
【実用新案登録請求の範囲】
【請求項１】
携帯電話の赤外線リモコンを利用して、電動機器を作動させる装置であって、赤外線受信部と電子回路とリレーを介してリレーを制御するリレー制御装置。
【考案の詳細な説明】
【技術分野】
【０００１】  本考案は、携帯電話の赤外線を利用して電動機器をリモコン操作する、リレー制御装置に関するものである。
【背景技術】
【０００２】  例えば、車やトラックにおいてはイルミネーションランプを作動させる場合、車内のスイッチを入れてから車外に出て、点灯の確認をしていた。また、トラックのパワーゲートなどの電動の機器を作動させる場合は、定位置にあるスイッチを作動するか、専用のリモコンを携帯して作業していた。
【考案の開示】
【考案が解決しようとする課題】
【０００３】  従来、例えばトラックのイルミネーションランプ等を点灯させる場合、配線に対する過大な負荷がかかることによる配線焼けや、電球切れを確認する際に、何度も車やトラックの乗り降りをしなければならないという問題点を有していた。さらに、電動機器を作動させる場合は、定位置のスイッチを押してから作業すると、作業の効率の観点からさらなる効率の上昇は望めない状態にあった。専用のリモコンを使用する場合も、作業のつど専用のリモコンを携帯しなければならず、さらなる利便性は望めなかった。従って、携帯電話のリモコンモードで本体のマイコンを制御作動させることにより、配線に過大な負荷が掛かった場合は本体内部のリレーが作動し、電流を遮断するので安全であり、電球切れの確認のための乗り降りも不要になる。また、現在普及が著しく、大半の人が持っている携帯電話を利用するので、機器を作動させるための専用のリモコンも不要になり、前述の問題点を解決しようとするものである。
【課題を解決するための手段】
【０００４】  本考案は、上記目的を達成するために、本体に３０Ａのリレーを組み込み、容量以上の電流が流れた場合は、リレーが電流を遮断する仕組みにした。また、リレーは取り外しが可能であり、それ以上の容量が必要な場合はリレーの増幅もできる。さらに、携帯電話のリモコンモードを利用し、車外からの点灯・消灯・作動ができ、専用のリモコンが不要になることにより、問題点を解決している。
【考案の効果】
【０００５】  本体にリレーを組み込んだことで、容量以上の電流が流れた場合はリレーが電流を遮断し、配線や車やトラックなどにダメージを与えず安全である。また、携帯電話を利用することにより、車外からの点灯・消灯・作動ができ、何度も車やトラックとイルミネーションランプ・機器の間を往復する手間が省けて利便性に富んでいる。本体には暗証番号登録機能と暗証番号リセット機能があり、第三者には作動できず安心であり、転売の場合や暗証番号変更の場合にも対応できる。さらに、機器を作動させるための専用のリモコンも不要になり、現在専用のリモコンの付いていない機器も、持っている携帯電話で作動できるため、作業効率の向上につながる。
【考案を実施するための最良の形態】
【０００６】  本項目は、図面２に沿って説明する。図面上は、複数本の配線を単線にて表示した。本体１と電源間を配線１ｂにより接続する。本体１と電動機器間を配線１ｃにより接続する。電源より送られた電圧は、配線１ｂを通りコンバータ５によって電圧を下げられ、マイコン３が作動可能になる。携帯電話の赤外線は、赤外線受信部２ａを介して受信機２が作動し、配線１ａを通ってマイコン３にて制御され、トランジスタ４でＯＮ・ＯＦＦの信号となり、リレー６が作動する。これにより、電源より送られた電圧は、１ｂと１ｄとリレー６を介して１ｃに電圧が送られ、電動機器がリレー制御により作動する。尚、本考案にかかるリレー制御装置は、この実施の形態に特定されるものではない。
【図面の簡単な説明】
【図１】本体と受信機を接続した斜視図である。
【図２】本体と受信機のブロック図である。
【符号の説明】
１    本体
１ａ  本体・受信機間接続配線
１ｂ  本体・電源間接続配線
１ｃ  本体・電動機器間接続配線
１ｄ  電源・リレー間接続配線
２    受信機
２ａ  赤外線受信機
３    マイコン
４    トランジスタ
５    コンバータ
６    リレー
【図１】
0003123690.tif 000003
【図２】
0003123690.tif 000004
(57)【要約】      （修正有）【課題】有機性廃棄物、特に汚泥の醗酵処理において、処理槽を２槽に分離した２槽式醗酵処理装置を提供する。【解決手段】段違いに設置した２槽の醗酵槽を用い１次醗酵と２次醗酵とに分けることにより、２次醗酵槽から醗酵処理物を取り出す時に未熟な醗酵物が混入することを防ぐことと、短時間の、醗酵処理を容易にした。【選択図】図１
0003123633.tif 000002
【実用新案登録請求の範囲】
【請求項１】
汚泥とう有機性廃棄物の醗酵処理を行う醗酵槽を、１次醗酵槽１、２次醗酵槽２と２槽に分け醗酵を段階的にすることにより、未熟な処理物が醗酵完了物に混入することを防ぎ、醗酵管理を容易にすることが出来る処理装置の考案。
【請求項２】
汚泥とう有機性廃棄物の醗酵処理を行う醗酵槽を１次醗酵槽１と２次醗酵槽２を段違いに接近させ、１次醗酵槽１を終えた処理物を容易に２次醗酵槽２へ移送できる構造を持った処理装置の考案。
【考案の詳細な説明】
【技術分野】
【０００１】  本考案は汚泥等有機性廃棄物を醗酵により堆肥化する装置である。
【背景技術】
【０００２】  下水の終末処理場、又は農業集落排水処理場などでは活性、浄化とうの処理槽に沈殿した未処理汚泥を凝縮して水分を少なくして、埋め立て、焼却とうの処理をしています。近年この沈殿した汚泥を醗酵槽に入れ、醗酵堆肥化することが広まってきました。
またこの問題を解決するために醗酵槽を大きくしなければ成りませんでした。
【考案の開示】
【考案が解決しようとする課題】
【０００３】  従来有機性廃棄物の醗酵処理には１槽式醗酵槽で処理を行っておりましたが連日、未処理の廃棄物を投入する場合、短時間に醗酵済みの処理物のみを純粋に取り出すことは不可能でした。
有機性廃棄物の醗酵は長時間を有するため処理槽を極端に大きくするか、醗酵と称しても乾燥に偏り、完熟していない状態で処理している傾向がありました。
この完熟していない処理物は水を与えると元の状態に戻ってしまう場合が多くあります。
【課題を解決するための手段１】
【０００４】  上記目的を達成するため、処理槽を２槽に分離して、１次醗酵槽１で１次醗酵、２次醗酵槽２で２次醗酵まで持っていくことにより、最終的に醗酵を完熟させることが出来、取り出した醗酵物に未熟な醗酵物が混入されることを防ぎます。
【０００５】  図を持って説明いたします。
図１は一次醗酵のための醗酵槽１に投入口２を設け、内部に撹拌羽３  及び熱風吹き出し口４を設ける。
【０００６】  １次醗酵槽１の投入口２より、有機性廃棄物５を投入します。
この処理物の初期の重量は８５％程度の水分量を含んでいますが、時間の経過とともに、内部の撹拌羽２の撹拌と熱風吹き出し口４の加熱により水分が飛び、重量が軽くなります。この間、軽度な醗酵も進みますので醗酵熱も加わります。
【０００７】  装置の下部に重量計６を設け、１次醗酵槽の予定された醗酵状態の完了を検知して、１次醗酵槽の処理を終了して１次槽排出口８を開口して２次醗酵槽の投入口９を開けて１次槽醗酵物１０を２次醗酵槽２に移行します。
１次醗酵槽を終えた処理物の醗酵は未成熟の状態で取り出しますが水分の減少した分、重量も容積も減量します。
【０００８】  ２次醗酵槽２への移行分は容積にして１０％程度に減容していますので、２次醗酵槽２は、１次醗酵槽１と同容積でも１０倍の収容能力があります。
２次醗酵槽２も醗酵の進展に従い減容していきますので、５０％の減容でも、１次醗酵槽への投入量の２０倍の収容能力を持ちます。従って、２次醗酵槽２は１次醗酵槽１の投入量の２０倍の収容力が有ることで、１槽式の醗酵処理に比べ２０倍の長時間を掛けて十分な醗酵処理が出来る訳です。
【０００９】  ２次醗酵槽も１次醗酵槽と同様に撹拌、加熱を行い、成熟するまでの時間を掛けた後、重量計１１の換算により完了を検知いたします。
完熟した処理物は排出口１２を開くことにより外部に排出されます。
【課題を解決するための手段２】
【００１０】  １次醗酵槽１と２次醗酵槽２とを段違いに設置して、１次醗酵槽１の排出口７の下側に２次醗酵槽２の投入口９が来るように配置します。
これにより１次醗酵槽１と２次醗酵槽２との間にコンベアーとうの移送機器が不用になり、装置の設置面積も少なくなります。
【考案の効果】
【００１１】  １槽式醗酵槽に比べ２槽式醗酵槽は１次醗酵槽の投入物の完熟まで待つ必要もなく醗酵途中の処理物を２次槽へ排出できるので、新たな有機性廃棄物の投入できる間隔を短くすることが出来、また２次醗酵槽より排出される処理物の醗酵を未熟な醗酵物の混入を防ぎ，全てを完熟したものにすることが出来ます。
【考案を実施するための最良の形態】
【００１２】  図１の如く、醗酵処理第１槽の排出口に第２槽の投入口を近接させ、段違いに醗酵槽が並ぶ形態を持った考案です。
【図面の簡単な説明】
【００１３】
【図１】  有機性廃棄物処理装置の２槽式正面図です。
【符号の説明】
【００１４】      １    有機性廃棄物処理装置１次槽
２    湯既成廃棄物処理装置２次槽
３    １次槽投入口
４    撹拌羽
５    熱風噴出口
６    未処理、有機性廃棄物
７    １次槽重量計
８    １次槽排出口
９    ２次槽投入口
１０  １次醗酵物
１１  ２次槽重量計
１２  ２次槽排出口
【図１】
0003123633.tif 000003
【手続補正書】
【提出日】平成18年4月13日(2006.4.13)
【手続補正１】
【補正対象書類名】実用新案登録請求の範囲
【補正対象項目名】全文
【補正方法】変更
【補正の内容】
【実用新案登録請求の範囲】
【請求項１】
汚泥とう有機性廃棄物の醗酵処理を行う醗酵槽を、１次醗酵槽１、２次醗酵槽２と２槽に分け醗酵を段階的にすることにより、未熟な処理物が醗酵完了物に混入することを防ぎ、醗酵管理を容易にすることが出来る処理装置。
【請求項２】
汚泥とう有機性廃棄物の醗酵処理を行う醗酵槽を１次醗酵槽１と２次醗酵槽２を段違いに接近させ、１次醗酵槽１を終えた処理物を容易に２次醗酵槽２へ移送できる構造を持った処理装置。
(57)【要約】      （修正有）【課題】少量の食器の油汚れ、台所の小さな汚れを拭き取る時、小さなキッチンタオルを使って、こまめにしっかり油を拭き取る事が出来る。資源の節約、環境浄化にも繋がる。【解決手段】ハーフサイズのキッチンタオルを作る。トイレットペーパーとの違いを表し、ミシン目の目安文字２を兼ね、ミシン目１の上にキッチンタオル３、メヤスロール、キッチンティッシュ、メヤスロール等の名称、及び会社名等を印刷します。【選択図】図１
0003123635.tif 000002
【実用新案登録請求の範囲】
【請求項１】
トイレットペーパーサイズのキッチンタオルのミシン目の上に名称、会社名等を印刷し、トイレットペーパーとの違いを表し、ミシン目の目安を兼ねた、ロールペーパー。
【請求項２】
既成のロールペーパーのミシン目の上に名称、会社名等を印刷しミシン目の目安を兼ね広告媒体とした、ロールペーパー。
【考案の詳細な説明】
【技術分野】
【０００１】  本考案はトイレットペーパーサイズのキッチンタオルであり、ミシン目で切るタイプのロールペーパーです。
【背景技術】
【０００２】  従来のキッチンタオルには巾２３ｃｍほどのロールペーパーが有りますが、トイレットペーパーサイズ巾１１．５ｃｍを見掛けません。
【考案の開示】
【考案が解決しようとする課題】
【０００３】  少量の食器の油汚れや台所の小さな汚れを拭き取る時、大きなキッチンタオルを使うことが勿体無く感じ、トイレットペーパーサイズのキッチンタオルが有ればと考え、小さなキッチンタオルでこまめに目いっぱい油を拭き取ることが出来れば資源の節約、環境浄化にも繋がるのではと考えました。【０００４】  トイレットペーパーサイズのキッチンタオル、キッチンペーパーが無いのは一つには特性の違い、間違えた場合の問題の大きさと考えます。
【課題を解決する為の手段】
【０００５】  ハーフサイズ、トイレットペーパーサイズのキッチンタオルを作ろうと考え、トイレットペーパーとの違いを表す事とミシン目の確認を容易にする為、キッチンタオル、メヤスロール等とミシン目の上に印刷します。
【考案の効果】
【０００６】  ミシン目の上にキッチンタオル、メヤスロール等と名称を印刷する事でミシン目の目安になり、無意識に近い状態で指先の力がミシン目に集中し軽快に切ることが出来、トイレットペーパーとの違いを表し、会社名を入れれば良好な広告媒体にもなります。
【考案を実施する為の最良の形態】
【０００７】  キッチンタオル、メヤスロールの表示には淡い暖色を使い、明るく高級感を出します。
【０００８】  尚、打刻文字を使うことも考えられます。
【図面の簡単な説明】
【０００９】
【図１】本考案の正面略図
【符号の説明】
【００１０】  １、  ミシン目
２、  目安文字
３、  キッチンタオル
【図１】
0003123635.tif 000003
【手続補正書】
【提出日】平成18年2月8日(2006.2.8)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーサイズのキッチンタオルのミシン目に沿って名称、会社名等を印刷し、トイレットペーパーとの違いを表し、ミシン目の目安を兼ねた、ロールペパー。
【請求項２】
既成のロールペーパーのミシン目に沿って名称、会社名等を印刷し、ミシン目を兼ね、広告媒体とした、ロールペパー。
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーサイズのキッチンペーパーのミシン目に沿って名称、会社名等を印刷し、トイレットペーパーとの違いを表し、ミシン目の目安を兼ねたロールペーパー。
【請求項２】
ロールペーパーのミシン目に沿って  名称、会社名等を印刷し、ミシン目の目安を兼ね、広告媒体とした  ロールペーパー。
(57)【要約】【課題】  合羽、ナイロンズボン等を雨や土等が入らないように長靴の上にかぶせて使用する場合、裾上げが簡単にできるズボンを提供する。【解決手段】  ズボンの下４より上１５センチから２０センチの位置に、マジックテープ又はストッパー等を使いゴムで締められるようになっている。長靴のすぐ上、脚の部分、カバー付き長靴は本体とカバーの境の段差部分で締める。余った部分はその上からかぶせて下げる。これにより、どんな長さのズボンでも一定の高さで、綺麗に素早く簡単に、裾上げが可能になる。【選択図】図１
0003123632.tif 000002
【実用新案登録請求の範囲】
【請求項１】
合羽、ナイロンズボン等を一定の高さに裾上げ、保持する為に、ズボンの両脚、下端から１５センチから２０センチほどの位置にマジックテープやストッパー等を使いゴムの締め付け部が取り付けられているズボン。
【考案の詳細な説明】
【技術分野】
【０００１】  本考案は、合羽やナイロンズボン等、長靴使用時にはくズボンに関するものであり、長靴の上にかぶせた時に、ゴム等を使い、一定の高さで締めることにより、簡単に裾上げが出来るようにしたものである。
【背景技術】
【０００２】  従来の合羽やナイロンズボン等には長靴の上にかぶせた時に一定の高さで裾上げが出来る機能が付いていなかった。
【考案の開示】
【考案が解決しようとする課題】
【０００３】  その為、合羽やナイロンズボン等は、長靴の上にかぶせると、足首部分までずり落ちてしまい、汚れたり、擦り切れやすくなってしまう。また、見た目もだらしなく見えてしまう。
【課題を解決するための手段】
【０００４】  そこで、ズボンを裾上げする為に、図１の２、図２の３は、４から１５センチから２０センチほどの位置で、マジックテープ又はストッパー等を使いゴムによって長靴の上で脚に締めることにより簡単に一定した高さで裾上げが可能になる
【考案の効果】
【０００５】  よって、本考案ズボンにより、雨や土などが長靴の中に入らないように、長靴の上にズボンをかぶせて履きたいときは、すばやく、きれいに、一定の高さで簡単に裾上げができる。
【考案を実施するための最良の形態】
【０００６】  本考案の合羽、ナイロンズボン等は、図１，２に示すように、４から上１５センチから２０センチほどの位置で、マジックテープやストッパー等を使いゴムで締められるようになっている。長靴のすぐ上、脚の部分、カバー付きは長靴とカバーの境、段差部分で締め余ったぶんはその上からかぶせて下げるとよい。
【図面の簡単な説明】
【０００７】
【図１】  本考案のマジックテープを使ったズボンの側面図である。
【図２】  本考案のストッパーを使ったズボンの側面図である。
【図３】  本考案の断面図である。
【符号の説明】
【０００８】      １  ズボン
２  ゴムとマジックテープの締め付け部
３  ゴムとストッパーの締め付け部
４  ズボンの下端
５  脚
６  長靴
【図１】
0003123632.tif 000003
【図２】
0003123632.tif 000004
【図３】
0003123632.tif 000005
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
合羽、ナイロンズボン等を一定の高さに裾上げ、保持する為に、ズボンの両脚、下端から１５センチから２０センチほどの位置にマジックテープ（登録商標）やストッパー等を使いゴムの締め付け部が取り付けられているズボン。
【手続補正２】
【補正対象書類名】明細書
【補正対象項目名】０００４
【補正方法】変更
【補正の内容】
【０００４】  そこで、ズボンを裾上げするために、図１の２、図２の３は、４から１５センチから２０センチほどの位置で、マジックテープ（登録商標）又はストッパー等を使いゴムによって長靴の上で脚に締めることにより簡単に一定した高さで裾上げが可能になる。
【手続補正３】
【補正対象書類名】明細書
【補正対象項目名】０００６
【補正方法】変更
【補正の内容】
【０００６】  本考案の合羽、ナイロンズボン等は、図１、図２に示すように、４から上１５センチから２０センチほどの位置で、マジックテープ（登録商標）やストッパー等を使いゴムで締められるようになっている。長靴のすぐ上、脚の部分、カバー付きは長靴とカバーの境、段差部分で締め余ったぶんはその上からかぶせて下げるとよい。
【手続補正４】
【補正対象書類名】明細書
【補正対象項目名】０００７
【補正方法】変更
【補正の内容】
【０００７】
【図１】  本考案のマジックテープ（登録商標）を使ったズボンの側面図である。
【図２】  本考案のストッパーを使ったズボンの側面図である。
【図３】  本考案の断面図である。
【手続補正５】
【補正対象書類名】明細書
【補正対象項目名】０００８
【補正方法】変更
【補正の内容】
【０００８】  １  ズボン
２  ゴムとマジックテープ（登録商標）の締め付け部
３  ゴムとストッパーの締め付け部
４  ズボンの下端
５  脚
６  長靴
(57)【要約】      （修正有）【課題】高温で焼成した珪藻土を納骨室（土葬含む）に散布し、湿気を調湿することにより、環境の良い中で自然の土に還る。【解決手段】珪藻土は吸湿・消臭・調湿効果に優れ、またマイナスイオンの発生により酸化腐食やカビ・ダニの発生を防ぐ効果がある。その珪藻土を高温で焼成することでより吸湿・消臭・調湿効果に優れ、マイナスイオンを多く発生させる。【選択図】図１
0003123639.tif 000002
【実用新案登録請求の範囲】
【請求項１】
珪藻土を高温で焼成することを特徴とする納骨室用の土である。
【請求項２】
納骨室内の湿気を調湿するため、焼成した珪藻土を敷詰めたことを特徴とする納骨室である。
【考案の詳細な説明】
【技術分野】
【０００１】湿気の多い納骨室（土葬含む）を高温で焼成した珪藻土で調湿する土である
【背景技術】
【０００２】本来人間は自然界の土に還るのですが、明治維新以後現代は骨壷のまま納骨されるため土に還ることができないでおります。また納骨室の環境（湿気）が悪くシロアリ繁殖にもつながります。
【考案の開示】
【考案が解決しようとする課題】
【０００３】本考案はその解決策として、湿気を吸収し乾燥する事で、本来土に還るよりよい環境の手助けを考えた。
【課題を解決するための手段】
【０００４】珪藻土は超多孔質構造であり優れた調湿効果を持つ。また、その珪藻上を高温で焼成することで、より制度の高い調湿に優れた土を考えた。
【考案の効果】
【０００５】珪藻土は吸湿・消臭・調湿効果に優れ、またマイナスイオンの発生により酸化腐食やカビ・ダニの発生を防ぐ効果がある。【０００６】現在納骨室（土葬を含む）は、誰もが納棺される最後の癒しの場所でありながら、湿気が多く衛生面で改善を考えます。【０００７】この珪藻土を高温で焼成することで、より湿気を調湿し納骨室（土葬含む）の調和を図り最後に土に還るお役に立てればと考えました。【０００８】本考案は、高温で焼成した珪藻土を納骨室（土葬含む）に散布することにより、湿気を調湿することで、環境の良い中で自然の土に還るお役に立てます。高温で焼成することにより、“清められた土”としてお使いに慣れます。
【考案を実施するための最良の形態】
【０００９】以下、本考案の実施の形態を図１・図２に基づき説明する。
【実施例】
【００１０】珪藻土は吸湿・消臭・調湿効果に優れ、またマイナスイオンの発生により酸化腐食やカビ・ダニの発生を防ぐ効果がある。その珪藻土を高温で焼成することでより吸湿・消臭・調湿効果に優れ、マイナスイオンを多く発生させる。
【図面の簡単な説明】
【００１１】
【図１】納骨室に珪藻土を敷き、その上にお遺骨を納めることを示した図である。
【図２】土葬に珪藻土を敷き、その上にご遺体を納めることを示した図である。
【図１】
0003123639.tif 000003
【図２】
0003123639.tif 000004
【手続補正書】
【提出日】平成18年5月24日(2006.5.24)
【手続補正１】
【補正対象書類名】実用新案登録請求の範囲
【補正対象項目名】全文
【補正方法】変更
【補正の内容】
【実用新案登録請求の範囲】
【請求項１】
焼成した珪藻土を敷き詰めたこと、
を特徴とする納骨堂。
【請求項２】
前記焼成は高温で行うこと、
を特徴とする請求項1に記載の納骨堂。
【手続補正３】
【補正対象書類名】明細書
【補正対象項目名】０００４
【補正方法】変更
【補正の内容】
【０００４】
珪藻土は超多孔質構造であり優れた調湿効果を持つ。その珪藻土を焼成すること、さらに高温で焼成することで、より精度の高い調湿に優れた珪藻土となる。本願考案はかかる珪藻土を納骨室に敷くことを特徴とするものである。
(57)【要約】      （修正有）【課題】空調室外機の運転により空気中のアスベスト、ディ−ゼル排気ガス中の有害物質等の化学物質を付着させ除去する為のフィルターを提供する。【解決手段】空調室外機の空気吸い込み口にフィルターを付け空気の流れにより化学物質をフィルターに付着させ除去させる。空気流通の動力源は空調室内機設置場所の冷暖房の為に稼働する室外機ファンの運転による空気の自然流入を使う。【選択図】図２
0003123637.tif 000002
【実用新案登録請求の範囲】
【請求項１】
現在設置中の空調室外機や今後設置される空調室外機に空気浄化用のフィルターを取り付け、空調室外機が動くことによって空気中の有害物質をフィルターに付着させ取り除く物である。
【考案の詳細な説明】
【技術分野】
【０００１】空調室外機の運転により空気中のアスベスト、ディ−ゼル排気ガス中の有害物質等の化学物質を付着させ除去する為のフィルターである。
【背景技術】
【０００２】排出された大気汚染物質を取り除く為の物で現在設置されている大量の空調室外機にフィルターを取付け、環境を悪くする大気中の物質を空調室外機が動くことによってフィルターに付着させ除去し、環境汚染を抑制するものである。
【考案の開示】
【考案が解決しようとする課題】
【０００３】現在の環境問題で大気汚染の物質の主流であるアスベスト・ディーゼルの排ガス内の粒状物質・ディーゼル排気微粒子・その他有害化学物質等が空気中に多く飛散している現状では、除去の為に室内に空気清浄機等を取り付けるか雨による浄化以外に空気中の有害物質を除去することはできない。
【課題を解決するための手段】
【０００４】日常的に稼働している空調室外機が動くことによってこれらの物質を取り除くことが出来るものであり、空調室外機の空気吸い込み口にフィルターを取り付け、空調室外機ファンの動作による空気の流れにより、有害物質をフィルターに付着させ、そのフィルターを定期的に交換することによって物質を除去する方法である。
このフィルターは現在設置されている大量の空調室外機に取付可能であるため、すぐに大気中有害物質除去効果の出る物である。【０００５】現在日本で設置されている空調室外機は推定で約９０００万台〜１億２０００万台あり、それらにフィルターがついていれば  大量の大気が浄化されることになり、野放しでお手上げ状態の空気中の有害物質を除去することが出来るという物である。
【実施例】
【０００６】空調室外機の空気吸い込み口にフィルターを付け空気の流れにより化学物質をフィルターに付着させ除去させる。空気流通の動力源は空調室内機設置場所の冷暖房の為に稼働する室外機ファンの運転による空気の自然流入を使う。
【図面の簡単な説明】
【０００７】
【図１】本考案の使用状態の平面図である。
【図２】本考案の使用状態の側面図である。
【図３】本考案の構造図である。
【符号の説明】
【０００８】  １  空調室外機
２  フィルタ−
３  ファン
４  熱交換機
５  空気の流れ
６  フィルター取付箱
７  １次フィルター
８  ２次フィルター
９  バンドによる室外機への取付
１０  ビスによる室外機への取付
【図１】
0003123637.tif 000003
【図２】
0003123637.tif 000004
【図３】
0003123637.tif 000005
【手続補正書】
【提出日】平成18年4月19日(2006.4.19)
【手続補正１】
【補正対象書類名】実用新案登録請求の範囲
【補正対象項目名】全文
【補正方法】変更
【補正の内容】
【実用新案登録請求の範囲】
【請求項１】
現在設置中の空調室外機や今後設置される空調室外機の外枠にケースに入ったフィルターを取付け、室外機の運転による空気の流れで空気中の有害物質を付着させ除去する浄化装置。
【手続補正２】
【補正対象書類名】明細書
【補正対象項目名】全文
【補正方法】変更
【補正の内容】
【考案の詳細な説明】
【技術分野】
【０００１】空調室外機の運転により空気中のアスベスト、ディーゼル排気ガス中の有害物質等の化学物質を付着させ除去するためのフルターを有する浄化装置である。
【背景技術】
【０００２】排出された大気汚染物質を取り除く為の物で現在設置されている大量の空調室外機にフィルターを取付け、環境を悪くする大気中の物質を空調室外機が動くことによってフィルターに付着させ除去し、環境汚染を抑制するものである。
【考案の開示】
【考案が解決しようとする課題】
【０００３】現在の環境問題で大気汚染の物質の主流であるアスベスト・ディーゼルの排ガス内の粒状物質・ディーゼル排気微粒子・その他有害化学物質等が空気中に多く飛散している現状では、除去の為に室内に空気清浄機等を取り付けるか雨による浄化以外に空気中の有害物質を除去することはできない。
【課題を解決するための手段】
【０００４】日常的に稼働している空調室外機が動くことによってこれらの物質を取り除くことが出来るものであり、空調室外機の空気吸い込み口にフィルターを取り付け、空調室外機ファンの動作による空気の流れにより、有害物質をフィルターに付着させ、そのフィルターを定期的に交換することによって物質を除去する方法である。
このフィルターは現在設置されている大量の空調室外機に取付可能であるため、すぐに大気中有害物質除去効果の出る物である。
【考案の効果】
【０００５】現在日本で設置されている空調室外機は推定で約９０００万台〜１億２０００万台あり、それらにフィルターがついていれば  大量の大気が浄化されることになり、野放しでお手上げ状態の空気中の有害物質を除去することが出来るという物である。
【実施例】
【０００６】空調室外機の空気吸い込み口にフィルターを付け空気の流れにより化学物質をフィルターに付着させ除去させる。空気流通の動力源は空調室内機設置場所の冷暖房の為に稼働する室外機ファンの運転による空気の自然流入を使う。
【図面の簡単な説明】
【０００７】
【図１】本考案の使用状態の平面図である。
【図２】本考案の使用状態の側面図である。
【図３】本考案の構造図である。
【符号の説明】
【０００８】  １  空調室外機
２  フィルター
３  ファン
４  熱交換機
５  空気の流れ
６  フィルター取付箱
７  １次フィルター
８  ２次フィルター
９  バンドによる室外機への取付
１０  ビスによる室外機への取付